(57)【要約】【課題】ハウジング間のがたつきを抑制して端子同士の高い接続信頼性を維持することが可能なコネクタを提供すること。【解決手段】第１ハウジング２０と第２ハウジング６０とを接合させることで雌端子１０と雄端子５０とが導通接続されるコネクタ１であって、第２ハウジング６０は、第１ハウジング２０が嵌合可能な嵌合凹部７２を有し、第１ハウジング２０の外周における第１ハウジング２０と第２ハウジング６０との接合方向後方側には、接合方向と交差する方向へ突出する当接突部３５及び当接面３７が設けられ、当接突部３５及び当接面３７は、第１ハウジング２０と第２ハウジング６０とを接合させた状態で、嵌合凹部７２の内面に当接される。【選択図】図１
2016076401.tif 000002
【特許請求の範囲】
【請求項１】
互いに接合可能な二つのハウジングを備え、前記ハウジング同士を接合させることで前記ハウジングにそれぞれ保持された端子同士が導通接続されるコネクタであって、
一方の前記ハウジングは、他方の前記ハウジングが嵌合可能な嵌合凹部を有し、
他方の前記ハウジングの外周における前記ハウジング同士の接合方向後方側には、前記ハウジング同士の接合方向と交差する方向へ突出する当接部が設けられ、
前記当接部は、前記ハウジング同士を接合させた状態で、前記嵌合凹部の内面に当接される
ことを特徴とするコネクタ。
【請求項２】
一方の前記端子は、他方の前記端子へ向かって突出する接続ピン部を有し、他方の前記端子は、前記接続ピン部に対して側方から接触する接点部を有し、
前記当接部は、前記接続ピン部に対する前記接点部の接触方向に沿う方向へ突出されている
ことを特徴とする請求項１に記載のコネクタ。
【請求項３】
前記当接部は、他方の前記ハウジングの外周の対向位置にそれぞれ設けられている
ことを特徴とする請求項１または請求項２に記載のコネクタ。
【請求項４】
前記ハウジングには、互いに係合して前記ハウジング同士の接合状態を維持するロック部が設けられ、
前記当接部が前記嵌合凹部の内面と当接するタイミングと、前記ハウジング同士を接合させる際にコネクタ挿入力が最大となるタイミングとがずらされている
ことを特徴とする請求項１から請求項３のいずれか一項に記載のコネクタ。
【発明の詳細な説明】
【技術分野】
【０００１】
本発明は、互いに接合されることで、端子同士を導通させるコネクタに関する。
【背景技術】
【０００２】
コネクタとして、雌コネクタと雄コネクタとを接合させた状態で、雄端子と雌端子との間に生じ得る摺動距離が、雄端子と雌端子の接点部との接触部分における接触痕の範囲よりも小さくなるように構成するものが知られている（例えば、特許文献１参照）。
【０００３】
このコネクタでは、振動などの影響によって雄端子と雌端子との接触箇所に長期間にわたり微摺動が生じても、微摺動距離が雄端子と雌端子との間の接触痕の範囲内に設定されているので、接点部にガスタイト面が残され、ガスタイト面では、酸化およびアブレッシブ摩耗の発生が抑制されるため、雄雌端子の接触部間の微摺動による摩耗が低減される。
【先行技術文献】
【特許文献】
【０００４】
【特許文献１】特開２００５−１４１９９３号公報
【発明の概要】
【発明が解決しようとする課題】
【０００５】
ところで、互いに接合されるコネクタのハウジング間にがたつきがある状態では、振動が生じた際に、雄端子と雌端子との動きを抑制しきれず、雄端子と雌端子との接触箇所が摩耗して接続信頼性が低下するおそれがある。
【０００６】
本発明は、上述した事情に鑑みてなされたものであり、その目的は、ハウジング間のがたつきを抑制して端子同士の高い接続信頼性を維持することが可能なコネクタを提供することにある。
【課題を解決するための手段】
【０００７】
前述した目的を達成するために、本発明に係るコネクタは、下記（１）〜（４）を特徴としている。
（１）  互いに接合可能な二つのハウジングを備え、前記ハウジング同士を接合させることで前記ハウジングにそれぞれ保持された端子同士が導通接続されるコネクタであって、
一方の前記ハウジングは、他方の前記ハウジングが嵌合可能な嵌合凹部を有し、
他方の前記ハウジングの外周における前記ハウジング同士の接合方向後方側には、前記ハウジング同士の接合方向と交差する方向へ突出する当接部が設けられ、
前記当接部は、前記ハウジング同士を接合させた状態で、前記嵌合凹部の内面に当接される
ことを特徴とするコネクタ。
（２）  一方の前記端子は、他方の前記端子へ向かって突出する接続ピン部を有し、他方の前記端子は、前記接続ピン部に対して側方から接触する接点部を有し、
前記当接部は、前記接続ピン部に対する前記接点部の接触方向に沿う方向へ突出されている
ことを特徴とする（１）に記載のコネクタ。
（３）  前記当接部は、他方の前記ハウジングの外周の対向位置にそれぞれ設けられている
ことを特徴とする（１）または（２）に記載のコネクタ。
（４）  前記ハウジングには、互いに係合して前記ハウジング同士の接合状態を維持するロック部が設けられ、
前記当接部が前記嵌合凹部の内面と当接するタイミングと、前記ハウジング同士を接合させる際にコネクタ挿入力が最大となるタイミングとがずらされている
ことを特徴とする（１）から（３）のいずれかに記載のコネクタ。
【０００８】
上記（１）の構成のコネクタでは、ハウジング同士を接合させることで当接部が嵌合凹部の内面に当接されるので、接合状態におけるハウジング同士のがたつきを抑制することができ、それぞれのハウジングに保持された端子同士の接触安定性を向上させることができる。これにより、例えば、走行時に振動が生じるような自動車等の車両に用いても、振動による端子同士の接触箇所での摩耗を極力抑えることができ、端子同士の高い接続信頼性を維持することができる。
上記（２）の構成のコネクタでは、当接部が嵌合凹部の内面に当接することで、ハウジング同士の接続ピン部に対する前記接点部の接触方向のがたつきを抑制することができる。これにより、接続ピン部と接点部との接触安定性を向上させることができる。
上記（３）の構成のコネクタでは、ハウジング同士を接合させることで、一方のハウジングの嵌合凹部の内面に対して他方のハウジングの対向位置に設けられた当接部がそれぞれ当接される。これにより、ハウジング同士のがたつきをバランス良く抑制することができ、端子同士の接触安定性をより高めることができる。
上記（４）の構成のコネクタでは、ハウジング同士を接合させるためのコネクタ挿入力の最大値を大きくしてハウジングの挿抜時の操作性を低下させてしまうことなく、ハウジング同士のがたつきを抑制することができる。
【発明の効果】
【０００９】
本発明によれば、ハウジング間のがたつきを抑制して端子同士の高い接続信頼性を維持することが可能なコネクタを提供できる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】図１は、本実施形態に係るコネクタを示す図であって、図１（ａ）は第１ハウジングと第２ハウジングとが接合された状態の当接突部の配置位置における断面図、図１（ｂ）は図１（ａ）におけるＡ部拡大図である。
【図２】図２は、本実施形態に係るコネクタを示す図であって、図２（a）は第１ハウジング及び第２ハウジングの幅方向中央部分における断面図、図２（ｂ）は第１ハウジング及び第２ハウジングの当接突部の配置位置における断面図である。
【図３】図３は、第１ハウジングを示す図であって、図３（ａ）は正面図、図３（ｂ）は側面図である。
【図４】図４は、第１ハウジングを示す図であって、図４（ａ）は上面側から視た斜視図、図４（ｂ）は下面側から視た斜視図である。
【図５】図５は、第１ハウジングと第２ハウジングとの接合状態を示す図であって、図５（ａ）から図５（ｄ）はそれぞれコネクタの断面図である。
【図６】図６は、第１ハウジングと第２ハウジングとの接合位置とコネクタ挿入力との関係を示すグラフである。
【図７】図７は、当接突部と嵌合部の内縁との位置関係を示す図であって、図７（ａ）は図５（ｂ）におけるＢ部拡大図、図７（ｂ）は図５（ｃ）におけるＣ部拡大図である。
【図８】図８は、比較例に係るコネクタの第１ハウジングと第２ハウジングとの接合状態を示す図であって、図８（ａ）から図８（ｃ）はそれぞれコネクタの断面図である。
【図９】図９は、比較例に係るコネクタの第１ハウジングと第２ハウジングとの接合位置とコネクタ挿入力との関係を示すグラフである。
【図１０】図１０は、第１ハウジングの変形例を示す図であって、図１０（ａ）及び図１０（ｂ）はそれぞれ正面図である。
【発明を実施するための形態】
【００１２】
以下、本発明に係る実施の形態の例を、図面を参照して説明する。
【００１３】
図１は、本実施形態に係るコネクタを示す図であって、図１（ａ）は第１ハウジングと第２ハウジングとが接合された状態の当接突部の配置位置における断面図、図１（ｂ）は図１（ａ）におけるＡ部拡大図である。図２は、本実施形態に係るコネクタを示す図であって、図２（ａ）は第１ハウジング及び第２ハウジングの幅方向中央部分における断面図、図２（ｂ）は第１ハウジング及び第２ハウジングの当接突部の配置位置における断面図である。
【００１４】
図１（ａ）及び図２（ａ）（ｂ）に示すように、本実施形態に係るコネクタ１は、雌端子（端子）１０を保持する第１ハウジング（ハウジング）２０と、雄端子（端子）５０を保持する第２ハウジング（ハウジング）６０と、を備える。第１ハウジング２０と第２ハウジング６０とは、互いに接合される。第１ハウジング２０と第２ハウジング６０とが接合されることで、雌端子１０と雄端子５０とが導通接続される。
【００１５】
雌端子１０は、金属板のプレス成形品で、端子嵌合部１１と、芯線加締め片１２と、被覆加締め片１３とを備えている。端子嵌合部１１は、角筒状に形成されており、内側へ突出する接点部１４を有している。端子嵌合部１１には、接点部１４と対向する底面部１１ａに、ランス係合部１５と、ランス嵌入孔１６とが形成されている。ランス係合部１５は、ランス嵌入孔１６の縁部に形成されており、端子嵌合部１１の底面部１１ａから下方に隆起している。芯線加締め片１２及び被覆加締め片１３には、電線４１が接続されている。
【００１６】
電線４１は、外被４２によって導体４３を覆った絶縁電線であり、端部において導体４３が外被４２から露出されている。芯線加締め片１２は、外被４２から露出された電線４１の導体４３に加締められており、これにより、電線４１の導体４３が雌端子１０に圧着されている。被覆加締め片１３は、外被４２の端部に加締められており、これにより、電線４１の外被４２が雌端子１０に固定されている。
【００１７】
図３は、第１ハウジングを示す図であって、図３（ａ）は正面図、図３（ｂ）は側面図である。図４は、第１ハウジングを示す図であって、図４（ａ）は上面側から視た斜視図、図４（ｂ）は下面側から視た斜視図である。
【００１８】
図３（ａ）（ｂ）に示すように、第１ハウジング２０は、雌端子収容部２１を有している。第１ハウジング２０は、合成樹脂からなる成形品である。第１ハウジング２０の雌端子収容部２１には、複数の雌端子キャビティ２２が形成されており、これらの雌端子キャビティ２２には、第１ハウジング２０の第２ハウジング６０への接合方向後方側である後端（以降、後端と称す）側から雌端子１０が挿入されて収容される。雌端子キャビティ２２には、第１ハウジング２０の第２ハウジング６０への接合方向前方である先端（以降、先端と称す）側に、雄端子挿入孔２３が形成されている。この雄端子挿入孔２３は、第１ハウジング２０の先端へ向かって次第に広がるテーパ形状に形成されたガイド面２４を有している。
【００１９】
また、雌端子収容部２１には、ランス２５が形成されている。ランス２５は、その一部が雌端子キャビティ２２内へ突出された係合部２６を有している。ランス２５は、その係合部２６が、雌端子キャビティ２２内に挿入された雌端子１０のランス嵌入孔１６に入り込む。これにより、雌端子１０は、そのランス係合部１５に係合部２６が係合され、第１ハウジング２０の後端側への抜け出しが防止される。
【００２０】
図４（ａ）に示すように、第１ハウジング２０は、その上面２０ａ側における幅方向の中央部分に、ロックアーム３０を有している。ロックアーム３０は、雌端子収容部２１における先端側に連結されている。ロックアーム３０は、第１ハウジング２０の先端から後端へ延在されており、その後端側の端部には、上方へ突出するロック爪（ロック部）３１が形成されている。ロックアーム３０は、雌端子収容部２１との連結箇所を支点として揺動するように弾性変形可能とされている。
【００２１】
第１ハウジング２０の上面２０ａには、内側ガイド壁３３及び外側ガイド壁３４が突設されている。これらの内側ガイド壁３３及び外側ガイド壁３４は、それぞれ第２ハウジング４０との接合方向に沿って形成されている。内側ガイド壁３３には、第１ハウジング２０の後端側に、上方へ突出する当接突部（当接部）３５が形成されている。この当接突部３５における第１ハウジング２０の先端側には、導入部３６が設けられている。導入部３６は、第１ハウジング２０の後端側へ向かって次第に上方へ傾斜されている。
【００２２】
図４（ｂ）に示すように、第１ハウジング２０には、その下面２０ｂにおける第１ハウジング２０の後端側に、下方へ突出する当接面（当接部）３７が設けられている。この当接面３７は、幅方向にわたって形成されている。この当接面３７における第１ハウジング２０の先端側には、ガイド部３８が設けられている。ガイド部３８は、第１ハウジング２０の後端側へ向かって次第に下方へ傾斜されている。
【００２３】
雄端子５０は、金属板のプレス成形品で、端子接続部５１と、芯線加締め片５２と、被覆加締め片５３とを備えている。端子接続部５１は、角筒状に形成されており、その先端には、棒状に形成された接続ピン部５４が突出されている。接続ピン部５４は、雌端子１０の端子嵌合部１１に対して、その先端側から挿し込まれる。そして、この接続ピン部５４が端子嵌合部１１内の接点部１４と底面部１１ａとの間に挿し込まれ、接点部１４が接続ピン部５４に押し付けられて接触する。これにより、雌端子１０と雄端子５０とが導通接続される。端子接続部５１には、その底面部５１ａに、ランス係合部５５と、ランス嵌入孔５６とが形成されている。ランス係合部５５は、ランス嵌入孔５６の縁部に形成されており、端子接続部５１の底面部５１ａから下方に隆起している。
【００２４】
芯線加締め片５２及び被覆加締め片５３には、電線４１が接続されている。芯線加締め片５２は、外被４２から露出された電線４１の導体４３に加締められており、これにより、電線４１の導体４３が雄端子５０に圧着されている。被覆加締め片５３は、外被４２の端部に加締められており、これにより、電線４１の外被４２が雄端子５０に固定されている。
【００２５】
第２ハウジング６０は、合成樹脂からなる成形品であり、雄端子収容部６１を有している。雄端子収容部６１には、複数の雄端子キャビティ６２が形成されており、これらの雄端子キャビティ６２には、第２ハウジング６０の第１ハウジング２０への接合方向後方側である後端（以降、後端と称す）側から雄端子５０が挿入されて収容される。雄端子キャビティ６２には、第２ハウジング６０の第１ハウジング２０への接合方向前方である先端（以降、先端と称す）側に、雄端子突出孔６３が形成されている。この雄端子突出孔６３には、雄端子キャビティ６２に収容される雄端子５０の接続ピン部５４が挿通され、接続ピン部５４は、雄端子収容部６１の先端から突出される。
【００２６】
また、雄端子収容部６１には、ランス６５が形成されている。ランス６５は、その一部が雄端子キャビティ６２内へ突出された係合部６６を有している。ランス６５は、その係合部６６が、雄端子キャビティ６２内に挿入された雄端子５０のランス嵌入孔５６に入り込む。これにより、雄端子５０は、そのランス係合部５５に係合部６６が係合され、第２ハウジング６０の後端側への抜け出しが防止される。
【００２７】
第２ハウジング６０は、雄端子収容部６１の前方に、嵌合部７１を有している。嵌合部７１は、前方側が開口した嵌合凹部７２を有している。この嵌合凹部７２には、第１ハウジング２０が嵌合される。嵌合部７１は、その上方側における先端部分に係止爪（ロック部）７３を有している。係止爪７３は、嵌合部７１の幅方向の中央部分に形成されており、嵌合凹部７２の内側へ突設されている。
【００２８】
上記のように構成されたコネクタ１では、第１ハウジング２０の当接突部３５及び当接面３７が、第１ハウジング２０と第２ハウジング６０との接合方向と交差する方向へ突出するように、第１ハウジング２０の外周の対向位置に設けられている。また、第１ハウジング２０の当接突部３５及び当接面３７は、雄端子５０の接続ピン部５４に対する雌端子１０の接点部１４の接触方向に沿う方向へ突出されている。
【００２９】
次に、上記コネクタ１を構成する第１ハウジング２０と第２ハウジング６０とを接合させる場合について説明する。
【００３０】
図５は、第１ハウジングと第２ハウジングとの接合状態を示す図であって、図５（ａ）から図５（ｄ）はそれぞれコネクタの断面図である。図６は、第１ハウジングと第２ハウジングとの接合位置とコネクタ挿入力との関係を示すグラフである。図７は、当接突部と嵌合部の内縁との位置関係を示す図であって、図７（ａ）は図５（ｂ）におけるＢ部拡大図、図７（ｂ）は図５（ｃ）におけるＣ部拡大図である。
【００３１】
図５（ａ）に示すように、第１ハウジング２０と第２ハウジング６０とを接合させるには、第２ハウジング６０の嵌合部７１に形成された嵌合凹部７２に、第１ハウジング２０の雌端子収容部２１を嵌め込む。
【００３２】
ここで、第１ハウジング２０と第２ハウジング６０とを接合させるためのコネクタ挿入力Ｆは、嵌合凹部７２への雌端子収容部２１の嵌合開始時点（図６中Ｓ１参照）から増加する。
【００３３】
このように、嵌合凹部７２へ雌端子収容部２１を嵌合させると、雌端子収容部２１の各雌端子キャビティ２２に形成された雄端子挿入孔２３に雄端子５０の接続ピン部５４の先端が挿入される。このとき、接続ピン部５４は、ガイド面２４によって雄端子挿入孔２３へ案内されて円滑に挿入される。また、第２ハウジング６０の嵌合部７１の下方側の内縁７１ａが第１ハウジング２０の下面２０ｂのガイド部３８を越えて当接面３７に接触する。これにより、図１（ｂ）に示すように、第１ハウジング２０の当接面３７以外の先端側の下面２０ｂと第２ハウジング６０との間には、僅かなクリアランスＣが形成された状態となる。したがって、接続ピン部５４がガイド面２４によって雄端子挿入孔２３へ案内されるまでは、第２ハウジング６０に対して第１ハウジング２０の先端側が容易に変位され、よって、接続ピン部５４の雄端子挿入孔２３への挿入のさらなる円滑化が図られる。
【００３４】
また、第２ハウジング６０の嵌合部７１の嵌合凹部７２に、第１ハウジング２０の雌端子収容部２１を嵌め込むと、第２ハウジング６０の嵌合部７１に形成された係止爪７３が第１ハウジング２０のロックアーム３０に形成されたロック爪３１に当接される。
【００３５】
図５（ｂ）に示すように、第２ハウジング６０の嵌合部７１の嵌合凹部７２に、第１ハウジング２０の雌端子収容部２１をさらに嵌め込むと、雄端子挿入孔２３に挿入された雄端子５０の接続ピン部５４が雌端子１０の端子嵌合部１１に挿し込まれる。
【００３６】
この時点において、嵌合部７１の係止爪７３がロックアーム３０のロック爪３１に乗り上げることで、コネクタ挿入力Ｆが最大となり（図６中Ｓ２参照）、以降はコネクタ挿入力Ｆが減少する。
【００３７】
また、図７（ａ）に示すように、第２ハウジング６０の嵌合部７１の上方側の内縁７１ｂが第１ハウジング２０の当接突部３５の導入部３６に当接される。
【００３８】
図５（ｃ）に示すように、第２ハウジング６０の嵌合部７１の嵌合凹部７２に、第１ハウジング２０の雌端子収容部２１をさらに嵌め込むと、雄端子５０の接続ピン部５４が雌端子１０の端子嵌合部１１にさらに挿し込まれる。これにより、接続ピン部５４が端子嵌合部１１の接点部１４と底面部１１ａとの間に入り込み、接続ピン部５４に接点部１４が押し付けられて接触して雌端子１０と雄端子５０とが導通接続される。また、図７（ｂ）に示すように、第２ハウジング６０の嵌合部７１の上方側の内縁７１ｂが第１ハウジング２０の当接突部３５の導入部３６に沿って当接突部３５へ案内される。このように、嵌合部７１の上方側の内縁７１ｂが当接突部３５の導入部３６に沿って当接突部３５へ案内されることにより、コネクタ挿入力Ｆの減少が一旦止まり（図６中Ｓ３参照）、その後、再び減少する。
【００３９】
図５（ｄ）に示すように、第２ハウジング６０の嵌合部７１の嵌合凹部７２に、第１ハウジング２０の雌端子収容部２１をさらに嵌め込むと、雄端子５０の接続ピン部５４が雌端子１０の端子嵌合部１１のさらに奥まで挿し込まれる。また、第１ハウジング２０の当接突部３５及び当接面３７が第２ハウジング６０の嵌合凹部７２の内面に当接した状態となる。これにより、第２ハウジング６０の嵌合部７１の嵌合凹部７２に対して第１ハウジング２０の雌端子収容部２１が隙間なく嵌合された状態となり、第１ハウジング２０と第２ハウジング６０とのがたつきがなくされる。
【００４０】
この状態において、係止爪７３がロックアーム３０のロック爪３１を乗り越えてロック爪３１よりも第１ハウジング２０の後端側に到達する。これにより、押し下げられて弾性変形されていたロックアーム３０が復元し、ロック爪３１と係止爪７３とが互いに係合する。したがって、第１ハウジング２０と第２ハウジング６０との接合状態が維持される。また、この時点で接合が完了し、コネクタ挿入力Ｆがなくなる（図６中Ｓ４参照）。
【００４１】
このように、上記実施形態に係るコネクタによれば、第１ハウジング２０と第２ハウジング６０とを接合させることで当接突部３５及び当接面３７が嵌合凹部７２の内面に当接されるので、接合状態における第１ハウジング２０と第２ハウジング６０とのがたつきを抑制することができ、第１ハウジング２０と第２ハウジング６０にそれぞれ保持された雌端子１０と雄端子５０との接触安定性を向上させることができる。これにより、例えば、走行時に振動が生じるような自動車等の車両に用いても、振動による雌端子１０と雄端子５０との接触箇所での摩耗を極力抑えることができ、雌端子１０と雄端子５０との高い接続信頼性を維持することができる。
【００４２】
特に、当接突部３５及び当接面３７は、接続ピン部５４に対する接点部１４の接触方向に沿う方向へ突出されている。したがって、当接突部３５及び当接面３７が嵌合凹部７２の内面に当接することで、第１ハウジング２０と第２ハウジング６０との接続ピン部５４に対する接点部１４の接触方向のがたつきを抑制することができる。これにより、接続ピン部５４と接点部１４との接触安定性を確実に向上させることができる。
【００４３】
また、第１ハウジング２０の外周の対向位置である上面２０ａ及び下面２０ｂに当接突部３５及び当接面３７を設けたので、第１ハウジング２０と第２ハウジング６０とのがたつきをバランス良く抑制することができ、雌端子１０と雄端子５０との接触安定性をより高めることができる。
【００４４】
ここで、第１ハウジング２０に当接突部３５及び当接面３７を設けない比較例に係るコネクタの第１ハウジング２０と第２ハウジング６０との接合について説明する。
【００４５】
図８は、比較例に係るコネクタの第１ハウジングと第２ハウジングとの接合状態を示す図であって、図８（ａ）から図８（ｃ）はそれぞれコネクタの断面図である。図９は、比較例に係るコネクタの第１ハウジングと第２ハウジングとの接合位置とコネクタ挿入力との関係を示すグラフである。
【００４６】
図８（ａ）に示すように、第２ハウジング６０の嵌合部７１に形成された嵌合凹部７２に第１ハウジング２０の雌端子収容部２１を嵌め込むと、コネクタ挿入力Ｆは、嵌合凹部７２への雌端子収容部２１の嵌合開始時点（図９中Ｓ１１参照）から増加する。
【００４７】
嵌合部７１の係止爪７３がロックアーム３０のロック爪３１に当接された後、図８（ｂ）に示すように、第２ハウジング６０の嵌合部７１の嵌合凹部７２に、第１ハウジング２０の雌端子収容部２１をさらに嵌め込むと、嵌合部７１の係止爪７３がロックアーム３０のロック爪３１が乗り上げることで、コネクタ挿入力Ｆが最大となり（図９中Ｓ１２参照）、以降はコネクタ挿入力Ｆが減少する。
【００４８】
図８（ｃ）に示すように、第２ハウジング６０の嵌合部７１の嵌合凹部７２に、第１ハウジング２０の雌端子収容部２１をさらに嵌め込むと、係止爪７３がロックアーム３０のロック爪３１を乗り越えてロック爪３１よりも第１ハウジング２０の後端側に到達する。これにより、押し下げられて弾性変形されていたロックアーム３０が復元し、ロック爪３１と係止爪７３とが互いに係合する。したがって、第１ハウジング２０と第２ハウジング６０との接合状態が維持され、また、接合が完了したことで、コネクタ挿入力Ｆがなくなる（図９中Ｓ１３参照）。
【００４９】
このように、第１ハウジング２０に当接突部３５及び当接面３７を設けない場合、そのコネクタ挿入力Ｆは、嵌合部７１の係止爪７３がロックアーム３０のロック爪３１を乗り上げる際に最大となる。
【００５０】
これに対して、本実施形態に係るコネクタ１の場合も、コネクタ挿入力Ｆが最大となるのは、嵌合部７１の係止爪７３がロックアーム３０のロック爪３１を乗り上げるときである（図６参照）。つまり、本実施形態に係るコネクタ１では、当接突部３５及び当接面３７が嵌合凹部７２の内面と当接するタイミングと、第１ハウジング２０と第２ハウジング６０とを接合させる際にコネクタ挿入力Ｆが最大となるタイミングとがずらされている。これにより、第１ハウジング２０に当接突部３５及び当接面３７を設けることで、接合後におけるがたつきを抑制する構造としても、コネクタ挿入力Ｆの最大値は、第１ハウジング２０に当接突部３５及び当接面３７を設けない場合と同等に抑えることができる。
【００５１】
つまり、本実施形態では、コネクタ挿入力Ｆの最大値を大きくして第１ハウジング２０と第２ハウジング６０との挿抜時の操作性を低下させてしまうことなく、接合時における第１ハウジング２０と第２ハウジング６０とのがたつきを抑制し、雌端子１０と雄端子５０との良好な接続信頼性を維持させることができる。
【００５２】
なお、上記実施形態では、当接突部３５を内側ガイド壁３３に形成したが、当接突部３５の形成位置は、内側ガイド壁３３に限らない。
【００５３】
図１０は、第１ハウジングの変形例を示す図であって、図１０（ａ）及び図１０（ｂ）はそれぞれ正面図である。
【００５４】
例えば、当接突部３５は、図１０（ａ）に示すように、第１ハウジング２０の外側ガイド壁３４に形成しても良く、また、図１０（ｂ）に示すように、第１ハウジング２０の上面２０ａにおける内側ガイド壁３３と外側ガイド壁３４との間に形成しても良い。
【００５５】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５６】
ここで、上述した本発明に係るコネクタの実施形態の特徴をそれぞれ以下（１）〜（４）に簡潔に纏めて列記する。
（１）  互いに接合可能な二つのハウジング（第１ハウジング２０，第２ハウジング６０）を備え、前記ハウジング（第１ハウジング２０，第２ハウジング６０）同士を接合させることで前記ハウジング（第１ハウジング２０，第２ハウジング６０）にそれぞれ保持された端子（雌端子１０，雄端子５０）同士が導通接続されるコネクタ（１）であって、
一方の前記ハウジング（第２ハウジング６０）は、他方の前記ハウジング（第１ハウジング２０）が嵌合可能な嵌合凹部（７２）を有し、
他方の前記ハウジング（第１ハウジング２０）の外周における前記ハウジング（第１ハウジング２０，第２ハウジング６０）同士の接合方向後方側には、前記ハウジング（第１ハウジング２０，第２ハウジング６０）同士の接合方向と交差する方向へ突出する当接部（当接突部３５，当接面３７）が設けられ、
前記当接部（当接突部３５，当接面３７）は、前記ハウジング（第１ハウジング２０，第２ハウジング６０）同士を接合させた状態で、前記嵌合凹部（７２）の内面に当接される
ことを特徴とするコネクタ。
（２）  一方の前記端子（雄端子５０）は、他方の前記端子（雌端子１０）へ向かって突出する接続ピン部（５４）を有し、他方の前記端子（雌端子１０）は、前記接続ピン部（５４）に対して側方から接触する接点部（１４）を有し、
前記当接部（当接突部３５，当接面３７）は、前記接続ピン部（５４）に対する前記接点部（１４）の接触方向に沿う方向へ突出されている
ことを特徴とする（１）に記載のコネクタ。
（３）  前記当接部（当接突部３５，当接面３７）は、他方の前記ハウジング（第１ハウジング２０）の外周の対向位置にそれぞれ設けられている
ことを特徴とする（１）または（２）に記載のコネクタ。
（４）  前記ハウジング（第１ハウジング２０，第２ハウジング６０）には、互いに係合して前記ハウジング（第１ハウジング２０，第２ハウジング６０）同士の接合状態を維持するロック部（ロック爪３１，係止爪７３）が設けられ、
前記当接部（当接突部３５，当接面３７）が前記嵌合凹部（７２）の内面と当接するタイミングと、前記ハウジング（第１ハウジング２０，第２ハウジング６０）同士を接合させる際にコネクタ挿入力（Ｆ）が最大となるタイミングとがずらされている
ことを特徴とする（１）から（３）のいずれかに記載のコネクタ。
【符号の説明】
【００５７】
１：コネクタ
１０：雌端子（端子）
１４：接点部
２０：第１ハウジング（ハウジング）
３１：ロック爪（ロック部）
３５：当接突部（当接部）
３７：当接面（当接部）
５０：雄端子（端子）
５４：接続ピン部
６０：第２ハウジング（ハウジング）
７２：嵌合凹部
７３：係止爪（ロック部）
Ｆ：コネクタ挿入力
【図１】
2016076401.tif 000003
【図２】
2016076401.tif 000004
【図３】
2016076401.tif 000005
【図４】
2016076401.tif 000006
【図５】
2016076401.tif 000007
【図６】
2016076401.tif 000008
【図７】
2016076401.tif 000009
【図８】
2016076401.tif 000010
【図９】
2016076401.tif 000011
【図１０】
2016076401.tif 000012